(57)【要約】【課題】  本考案は、異なる作製物である袋、物体の包装材、敷物、掛物に共通に利用できる不織布からなる部材を実現し、該部材を組み合わせ、相互に結び合せることにより、特別な道具を使用せずに、不織布からなる袋、物体の包装材、敷物、掛物を容易に実現することを目的とする。【解決手段】  本考案は、作製物に適する不織布からなる材料を選択して、部材を相互に結び合す手段となる複数の切り込み部を、作製物を作製する時に容易に結べるような大きさで所定の位置に設け、不職布からなる材料を所定の形にデザインして、該不職布からなる材料をこのデザインに合わせて切断してなる該不織布からなる部材を考案し、該部材を共通の部材として組み合わせ、相互に結び合せることにより、特別な道具を使用せずに、容易に実現できる包装用の袋、物体の包装材、敷物、掛物を考案した。【選択図】図１
0003151084.tif 000002
【実用新案登録請求の範囲】
【請求項１】
２個の部材を相互に結び合す手段となる複数の切り込み部を所定の位置に設け、不織布からなる材料を包装袋の形に合わせて設定した所定の形に切断して作製する２個の部材と、袋の口を開け閉めする手段とともに提げる手段となるリボンまたは紐からなり、該不織布からなる部材を折り曲げて、リボンまたは紐を通す位置に紐通し部を作成し、該紐通し部にリボンまたは紐を通して該２個の不織布からなる部材を連結すると共に、第１の部材の切り込み部と第２の部材の対応する位置の切り込み部を相互に結び合すことにより袋を構成し、該リボンまたは紐により該袋の口を開閉できることを特徴とする不織布よりなる包装用の袋
【請求項２】
２個の部材を相互に結び合す手段となる複数の切り込み部を所定の位置に設け、不織布からなる材料を包装材の形に合わせて設定した所定の形に切断して作製する２個の部材からなり、該不織布からなる部材をそれぞれ折り曲げて、包装の対象物の形状に合わせた包装ができるように各部材の切り込み部を選択し、第１の部材の選択した切り込み部と第２の部材の対応する位置の切り込み部を相互に結び合すことにより包装材を構成し、包装の対象物の形状に合わせた包装ができるようにすることを特徴とする不織布よりなる包装材
【請求項３】
部材の一部を相互に結ぶ手段となる複数の切り込み部を所定の位置に設け、不織布からなる材料を敷物や掛物の形に合わせて設定した所定の形に切断して作製する部材からなり、該部材の選択した切り込み部を隣同士に結び合せてなることを特徴とする不織布よりなる敷物や掛物
【考案の詳細な説明】
【技術分野】
【０００１】  本考案は、不織布からなる材料を、所定の形に切断してできる包装用の袋または物体の包装材や敷物、掛物を構成する部材と、この部材を用いて構成する包装用の袋や包装材、敷物、掛物に関するものである。
【背景技術】
【０００２】  従来、包装用の袋または物体の包装材、敷物、掛物を作製するには、材料となる布や紙、不織布を選定して、この材料を作成物に適合するように切断、縫製、接着手段による加工に道具を使用して作製されている。
【特許文献１】実用新案登録第３１４２２４５号にある包装用不織布バッグでは、不織布とプラスチックフィルムとの２層を重ね合わせた複合シートからなる、底面が平面状の袋となる水漏れがない袋であるが、作製が複雑で材料も高価となる。
【考案の開示】
【考案が解決しようとする課題】
【０００３】  しかしながら、従来の包装用の袋または物体の包装材や、敷物、掛物は、夫々の作製に合わせて材料を加工して部材を作製し、この部材を加工して作製していた。この作製には、それぞれの加工手段に合わせた道具が必要であり、加工費用が高くなることもあった。【０００４】  本考案は、上述の点に鑑みてなされたもので、包装用の袋または物体の包装材や、敷物、掛物の部材として、部材を相互に結び合す手段となる複数の切り込み部を所定の位置に設け、不織布からなる材料を所定の形に切断してなる不織布を加工した、共通の部材を実現することで、解決しようとするものである。【０００５】  また、前記部材を組み合わせて用いることにより、不織布からなる袋または物体の包装材や、敷物、掛物を、道具を必要とせず容易に実現することで解決しようとするものである。
【課題を解決するための手段】
【０００６】  本考案は、上記課題を解決するために、作製物に適する不織布からなる材料を選択し、部材を相互に結び合す手段となる複数の切り込み部を、作製物を作製する時に容易に結べるような大きさで所定の位置に設け、作製物に適合するように所定の形にデザインして、該不織布からなる材料を、このデザインに合わせて切断してなる不織布を加工した共通の部材を考案した。【０００７】  前記部材２個と袋の口を開け閉めする手段とともに提げる手段となるリボンまたは紐を用いて、前記部材を、夫々ほぼ中間部にて折り曲げて、縫製または接着加工により、リボンまたは紐を通す位置に紐通し部を設けるように加工し、この加工をした部材２個を該紐通し部にリボンまたは紐を通して、該２個の不織布からなる部材を連結するとともに部材の切り込み部ともう一方の部材に対応する位置の切り込み部を、相互に結び合すことにより不織布からなる包装用の袋を考案した。【０００８】  また、前記部材２個を用いて、夫々ほぼ中間部にて折り曲げて、包装の対象物の形状に合わせて各部材の切り込み部を選択し、部材の切り込み部ともう一方の部材に対応する位置の切り込み部を相互に結び合すことにより包装材を構成し、包装の対象物の形状に合わせた包装ができることを特徴とする不織布からなる包装材を考案した。【０００９】  また、前記部材を用いて、選択した切り込み部を隣同士に結び合わせてなる不織布からなる敷物や掛物を考案した。
【考案の効果】
【００１０】  上述の様に、本考案の効果は、異なる作製物である袋、物体の包装材、敷物、掛物に共通に利用できる不織布からなる部材を実現できる。また、考案した不織布からなる部材を使用して結び合すことにより、包装用の袋や、特別の道具を使用せずに、包装の対象となる物体の形状に合わせた包装材、物体に合わせた敷物、掛物を容易に実現できる。また、包装用袋、物体の包装材、敷物、掛物を同じデザインの不織布で容易に実現できる。
【考案を実施するための最良の形態】
【００１１】  以下、請求項１の不職布よりなる包装袋を実施例１で説明し、請求項２の不職布よりなる包装材を実施例２で説明し、請求項３の不職布よりなる敷物や掛物を実施例３で説明する。
【実施例１】
【００１２】請求項１の実施例を図１、図２、図３により説明する。【００１３】  図１は、本考案の不職布からなる材料を、所定の形に切断加工した部材１の形を示す平面図である。１は、作製物に適する不職布からなる材料を選択し、作製物に適合するデザインにしたがって所定の形に切断加工した部材であり、３ａは部材１の略中心線を示す折り曲げ位置となり、部材を使って相互に結び合す手段となる複数の切り込み４ａ、４ｂ、４ｃと、複数の切り込み部５ａ、５ｂ、５ｃは、該部材を使って、袋を構成する時に結び合わせる手段となる部分であり、容易に結ぶことができる長さと巾となるようにデザインして所定の位置に設け、このデザインにしたがって不職布からなる材料を切断加工する時に切断加工した共通の部材である。【００１４】  図２は、部材１の折り曲げ位置を示す略中心線３ａにて、折り曲げ加工した部材２の形を示す平面図である。図２において折り曲げた位置３ｂは、部材１を折り曲げた２個を結び合わせて袋にした時の、袋の開口部の端となる。【００１５】  図３は、図２の部材２を２個と袋の口を開け閉めする手段とともに提げる手段となるリボンまたは紐を示し、部材２を夫々２ａと２ｂとし、部材２ａに、紐通し口９と１０を設けるために該当位置の対応する切り込み部５ｂと５ａを各１個切断し、同様に部材２ｂに紐通し口１１と１２を設けるために、該当位置の対応する切り込み部５ｂと５ａを各１個切断した部材２個と、袋の口を開け閉めする手段となるリボン１３とリボン１４からなり、リボン１３とリボン１４は、紐状の物を使っても良い。【００１６】  図３において紐通し部６ａと６ｂは、リボン１３とリボン１４を通す部分である。該紐通し部６ａと６ｂは、折り曲げた部材２ａと２ｂを縫製または接着手段により加工して、固着部７と固着部８を作ることにより構成される。この紐通し部６ａと６ｂは、左右に紐通し口を設けることにより貫通した形となり、部材２ａの紐通し部６ａは、紐通し口９と紐通し口１０があり、部材２ｂの紐通し部６には紐通し口１１と紐通し口１２がある。【００１７】  図３においてリボン１３は、部材２ａの紐通し口９より入り部材２ａの紐通し口１０を貫通し、部材２ｂの紐通し口１１より入り部材２ｂの紐通し口１２に貫通したリボンを示し、リボン１４は、部材２ａの紐通し口１０より入り部材２ａの紐通し口９に貫通し、部材２ｂの紐通し口１２より入り部材２ｂの紐通し口１１に貫通したリボンを示す。【００１８】  図３において、部材２ａの切り込み部５ａと部材２ｂの切り込み部５ｂ、部材２ａの切り込み部５ｂと部材２ｂの切り込み部５ａを夫々相互に結び合わせ、図３において部材２ａの切り込み部５ｃと部材２ｂの切り込み部５ｃを相互に結び合わせることにより包装用の袋となり、リボン１３とリボン１４の操作により袋の口を開閉することができる。【００１９】  上述の不職布には、材質や色、印刷した柄を付加することにより、様々な外観、風合の袋ができる。
【実施例２】
【００２０】  請求項２の実施例を図１、図２、図４により説明する。【００２１】  図１は、本考案の不職布からなる材料を、所定の形に切断加工した部材１の形を示す平面図である。１は、作製物に適する不職布からなる材料を選択し、作製物に適合するデザインにしたがって所定の形に切断加工した部材であり、３ａは部材１の略中心線を示す折り曲げ位置となり、部材を使って相互に結び合す手段となる複数の切り込み４ａ、４ｂ、４ｃと、複数の切り込み部５ａ、５ｂ、５ｃは、該部材を使って、袋を構成する時に結び合わせる手段となる部分であり、容易に結ぶことができる長さと巾となるようにデザインして所定の位置に設け、このデザインにしたがって不職布からなる材料を切断加工する時に切断加工した共通の部材である。【００２２】  図２は、部材１の折り曲げ位置を示す略中心線３ａにて、折り曲げ加工した部材２の形を示す平面図である。図２において折り曲げた位置３ｂは、部材１を折り曲げた２個を結び合わせて袋にした時の、袋の開口部の端となる。【００２３】  図４は、図２の部材２を２個組並べた図を示し、部材２を夫々２ｃと２ｄとし、２個を組み合せて包装材を組み立てる前の平面図である。図４において、部材２ｃの切り込み部５ａと部材２ｄの切り込み部５ｂ、部材２ｃの切り込み部５ｂと部材２ｄの切り込み部５ａを夫々相互に結び合わせることにより筒状の物体を包装できる包装材となる。【００２４】  図４において、部材２ｃの切り込み部５ａと部材２ｄの切り込み部５ｂ、部材２ｃの切り込み部５ｂと部材２ｄの切り込み部５ａを夫々相互に結び合わせ、部材２ｃの切り込み部５ｃと部材２ｄの切り込み部５ｃを相互に結び合わせることにより袋状の包装材となり、該袋状の包装材に持ち手部となる孔を設けることにより、持ち運びが容易となる包装材にもなる。【００２５】  このように、部材２ｃと２ｂの切り込み部５ａ、５ｂ、５ｃの結び合わせを変えることにより、物体の形状に合わせた包装材を構成することができる。【００２６】  上述の不職布には、材質や色、印刷した柄を付加することにより、様々な外観、風合の、包装材ができる。
【実施例３】
【００２７】  請求項３の実施例を図１により説明する。【００２８】  図１は、本考案の不職布からなる材料を、所定の形に切断加工した部材１の形を示す平面図である。１は、作製物に適する不職布からなる材料を選択し、作製物に適合するデザインにしたがって所定の形に切断加工した部材であり、部材を使って相互に結び合す手段となる複数の切り込み４ａ、４ｂ、４ｃと、複数の切り込み部５ａ、５ｂ、５ｃは、該部材を使って結び合わせる手段となる部分であり、容易に結ぶことができる長さと巾となるようにデザインして所定の位置に設け、このデザインにしたがって不職布からなる材料を切断加工する時に一緒に切断加工した共通の部材である。【００２９】  図１の、部材１の複数の切り込み部５ａを隣同士に結び合わせ、同様に５ｂも隣同士に結び合わせ、５ｃも夫々同様に結び合わせることにより、不職布からなる敷物や掛物を作製できる。【００３０】  長方形や正方形の敷物、掛物の他にも、丸、三角、四角、菱形にデザインした不職布からなる部材に、結び合わせる手段となる切り込みと切り込み部を、容易に結ぶことができる長さと巾となるように設けるようにデザインして、このデザインにしたがって不職布からなる材料を切断加工することにより様々な形の敷物や掛物を作製することもできる。【００３１】  上述の不職布には、材質や色、印刷した柄を付加することにより、様々な外観、風合の、敷物や掛物を作製できる。
【図面の簡単な説明】
【００３２】
【図１】不職布からなる材料を所定の形に切断して加工した本考案の部材を示す。
【図２】図１にしめす本考案の不職布からなる部材を折り曲げたものを示す。
【図３】不職布からなる材料を所定の形に切断し折り曲げた部材に紐通し部を構成して連結するものを示す。
【図４】不職布からなる材料を所定の形に切断し折り曲げた部材の組み合わせを示す。
【符号の説明】
【００３３】  １    不職布を所定の形に切断加工した部材
２    不職布を所定の形に切断加工し折り曲げた部材
２ａ  図３の不職布を所定の形に切断加工し折り曲げた部材を組み合わす部材の１つ
２ｂ  図３の不職布を所定の形に切断加工し折り曲げた部材を組み合わす部材の他方
２ｃ  図４の不職布を所定の形に切断加工し折り曲げた部材を組み合わす部材の１つ
２ｄ  図４の不職布を所定の形に切断加工し折り曲げた部材を組み合わす部材の他方
３ａ  山折をする折り曲げ位置
３ｂ  折り曲げた位置
４ａ  右切り込み
４ｂ  左切り込み
４ｃ  上側および下側の切り込み
５ａ  右切り込み部
５ｂ  左切り込み部
５ｃ  上側および下側の切り込み部
６ａ  紐通し部
６ｂ  紐通し部
７    紐通し部を構成する２ａの固着部
８    紐通し部を構成する２ｂの固着部
９    ２ａの部材の左側紐通し口
１０  ２ａの部材の右側紐通し口
１１  ２ｂの部材の左側紐通し口
１２  ２ｂの部材の右側紐通し口
１３  リボン
１４  リボン
【図１】
0003151084.tif 000003
【図２】
0003151084.tif 000004
【図３】
0003151084.tif 000005
【図４】
0003151084.tif 000006
【手続補正書】
【提出日】平成21年3月2日(2009.3.2)
【手続補正１】
【補正対象書類名】実用新案登録請求の範囲
【補正対象項目名】全文
【補正方法】変更
【補正の内容】
【実用新案登録請求の範囲】
【請求項１】
２個の部材を相互に結び合す手段となる複数の切り込み部を所定の位置に設け、不織布からなる材料を包装袋の形に合わせて設定した所定の形に切断して作製する２個の部材と、袋の口を開け閉めする手段とともに提げる手段となるリボンまたは紐からなり、該不織布からなる部材を折り曲げて、リボンまたは紐を通す位置に紐通し部を作成し、該紐通し部にリボンまたは紐を通して該２個の不織布からなる部材を連結すると共に、第１の部材の切り込み部と第２の部材の対応する位置の切り込み部を相互に結び合すことにより袋を構成し、該リボンまたは紐により該袋の口を開閉できることを特徴とする不織布よりなる包装用の袋
【請求項２】
２個の部材を相互に結び合す手段となる複数の切り込み部を所定の位置に設け、不織布からなる材料を包装材の形に合わせて設定した所定の形に切断して作製する２個の部材からなり、該不織布からなる部材をそれぞれ折り曲げて、包装の対象物の形状に合わせた包装ができるように各部材の切り込み部を選択し、第１の部材の選択した切り込み部と第２の部材の対応する位置の切り込み部を相互に結び合わせる部分を替えることにより袋状筒状の包装材を構成し、包装の対象物の形状に合わせた包装ができ、持ち手部となる孔を設けることにより持ち運びが容易となる包装材にもなることを特徴とする不織布よりなる包装材
【手続補正２】
【補正対象書類名】明細書
【補正対象項目名】全文
【補正方法】変更
【補正の内容】
【考案の詳細な説明】
【技術分野】
【０００１】  本考案は、不織布からなる材料を、所定の形に切断してできる包装用の袋または物体の包装材を構成する部材と、この部材を用いて構成する包装用の袋や包装材に関するものである。
【背景技術】
【０００２】  従来、包装用の袋または物体の包装材を作製するには、材料となる布や紙、不織布を選定して、この材料を作成物に適合するように切断、縫製、接着手段による加工に道具を使用して作製されている。
【特許文献１】実用新案登録第３１４２２４５号にある包装用不織布バッグでは、不織布とプラスチックフィルムとの２層を重ね合わせた複合シートからなる、底面が平面状の袋となる水漏れがない袋であるが、作製が複雑で材料も高価となる。
【考案の開示】
【考案が解決しようとする課題】
【０００３】  しかしながら、従来の包装用の袋または物体の包装材は、夫々の作製に合わせて材料を加工して部材を作製し、この部材を加工して作製していた。この作製には、それぞれの加工手段に合わせた道具が必要であり、加工費用が高くなることもあった。【０００４】  本考案は、上述の点に鑑みてなされたもので、包装用の袋または物体の包装材の部材として、部材を相互に結び合す手段となる複数の切り込み部を所定の位置に設け、不織布からなる材料を所定の形に切断してなる不織布を加工した共通の部材を実現することで、解決しようとするものである。【０００５】  また、前記部材を結び合わせて用いることにより、不織布からなる袋または物体の包装材を、道具を必要とせず容易に実現することで解決しようとするものである。
【課題を解決するための手段】
【０００６】  本考案は、上記課題を解決するために、作製物に適する不織布からなる材料を選択し、部材を相互に結び合す手段となる複数の切り込み部を、作製物を作製する時に容易に結べるような大きさで所定の位置に設け、作製物に適合するように所定の形にデザインして、該不織布からなる材料を、このデザインに合わせて切断してなる不織布を加工した共通の部材を考案した。【０００７】  前記部材２個と袋の口を開け閉めする手段とともに提げる手段となるリボンまたは紐を用いて、前記部材を、夫々ほぼ中間部にて折り曲げて、縫製または接着加工により、リボンまたは紐を通す位置に紐通し部を設けるように加工し、この加工をした部材２個を該紐通し部にリボンまたは紐を通して、該２個の不織布からなる部材を連結するとともに部材の切り込み部ともう一方の部材に対応する位置の切り込み部を、相互に結び合すことにより不織布からなる包装用の袋を考案した。【０００８】  また、前記部材２個を用いて、夫々ほぼ中間部にて折り曲げて、包装の対象物の形状に合わせて各部材の切り込み部を選択し、部材の切り込み部ともう一方の部材に対応する位置の切り込み部を相互に結び合すことにより包装材を構成し、包装の対象物の形状に合わせた包装ができることを特徴とする不織布からなる包装材を考案した。【０００９】  また、前記包装材の部材に、所定の孔を設けて持ち手部を作製し持ち運びが容易となる手提げ付き包装材を考案した。
【考案の効果】
【００１０】  上述の様に、本考案の効果は、異なる作製物である袋、物体の包装材に共通に利用できる不織布からなる部材を実現できる。また、考案した不織布からなる部材を使用して結び合すことにより、包装用の袋や、特別の道具を使用せずに、包装の対象となる物体の形状に合わせた包装材、持ち運びが容易に実現できる。また、包装用袋、物体の包装材を同じデザインの不織布で容易に実現できる。
【考案を実施するための最良の形態】
【００１１】  以下、請求項１の不職布よりなる包装袋を実施例１で説明し、請求項２の不職布よりなる包装材を実施例２で説明する。
【実施例１】
【００１２】請求項１の実施例を図１、図２、図３により説明する。【００１３】  図１は、本考案の不職布からなる材料を、所定の形に切断加工した部材１の形を示す平面図である。１は、作製物に適する不職布からなる材料を選択し、作製物に適合するデザインにしたがって所定の形に切断加工した部材であり、３ａは部材１の略中心線を示す折り曲げ位置となり、部材を使って相互に結び合す手段となる複数の切り込み４ａ、４ｂ、４ｃと、複数の切り込み部５ａ、５ｂ、５ｃは、該部材を使って、袋を構成する時に結び合わせる手段となる部分であり、容易に結ぶことができる長さと巾となるようにデザインして所定の位置に設け、このデザインにしたがって不職布からなる材料を切断加工する時に切断加工した共通の部材である。【００１４】  図２は、部材１の折り曲げ位置を示す略中心線３ａにて、折り曲げ加工した部材２の形を示す平面図である。図２において折り曲げた位置３ｂは、部材１を折り曲げた２個を結び合わせて袋にした時の、袋の開口部の端となる。【００１５】  図３は、図２の部材２を２個と袋の口を開け閉めする手段とともに提げる手段となるリボンまたは紐を示し、部材２を夫々２ａと２ｂとし、部材２ａに、紐通し口９と１０を設けるために該当位置の対応する切り込み部５ｂと５ａを各１個切断し、同様に部材２ｂに紐通し口１１と１２を設けるために、該当位置の対応する切り込み部５ｂと５ａを各１個切断した部材２個と、袋の口を開け閉めする手段となるリボン１３とリボン１４からなり、リボン１３とリボン１４は、紐状の物を使っても良い。【００１６】  図３において紐通し部６ａと６ｂは、リボン１３とリボン１４を通す部分である。該紐通し部６ａと６ｂは、折り曲げた部材２ａと２ｂを縫製または接着手段により加工して、固着部７と固着部８を作ることにより構成される。この紐通し部６ａと６ｂは、左右に紐通し口を設けることにより貫通した形となり、部材２ａの紐通し部６ａは、紐通し口９と紐通し口１０があり、部材２ｂの紐通し部６には紐通し口１１と紐通し口１２がある。【００１７】  図３においてリボン１３は、部材２ａの紐通し口９より入り部材２ａの紐通し口１０を貫通し、部材２ｂの紐通し口１１より入り部材２ｂの紐通し口１２に貫通したリボンを示し、リボン１４は、部材２ａの紐通し口１０より入り部材２ａの紐通し口９に貫通し、部材２ｂの紐通し口１２より入り部材２ｂの紐通し口１１に貫通したリボンを示す。【００１８】  図３において、部材２ａの切り込み部５ａと部材２ｂの切り込み部５ｂ、部材２ａの切り込み部５ｂと部材２ｂの切り込み部５ａを夫々相互に結び合わせ、図３において部材２ａの切り込み部５ｃと部材２ｂの切り込み部５ｃを相互に結び合わせることにより包装用の袋となり、リボン１３とリボン１４の操作により袋の口を開閉することができる。【００１９】  上述の不職布には、材質や色、印刷した柄を付加することにより、様々な外観、風合の袋ができる。
【実施例２】
【００２０】  請求項２の実施例を図１、図２、図４により説明する。【００２１】  図１は、本考案の不職布からなる材料を、所定の形に切断加工した部材１の形を示す平面図である。１は、作製物に適する不職布からなる材料を選択し、作製物に適合するデザインにしたがって所定の形に切断加工した部材であり、３ａは部材１の略中心線を示す折り曲げ位置となり、部材を使って相互に結び合す手段となる複数の切り込み４ａ、４ｂ、４ｃと、複数の切り込み部５ａ、５ｂ、５ｃは、該部材を使って、袋を構成する時に結び合わせる手段となる部分であり、容易に結ぶことができる長さと巾となるようにデザインして所定の位置に設け、このデザインにしたがって不職布からなる材料を切断加工する時に切断加工した共通の部材である。【００２２】  図２は、部材１の折り曲げ位置を示す略中心線３ａにて、折り曲げ加工した部材２の形を示す平面図である。図２において折り曲げた位置３ｂは、部材１を折り曲げた２個を結び合わせて袋にした時の、袋の開口部の端となる。【００２３】  図４は、図２の部材２を２個組並べた図を示し、部材２を夫々２ｃと２ｄとし、２個を組み合せて包装材を組み立てる前の平面図である。図４において、部材２ｃの切り込み部５ａと部材２ｄの切り込み部５ｂ、部材２ｃの切り込み部５ｂと部材２ｄの切り込み部５ａを夫々相互に結び合わせることにより筒状の物体を包装できる包装材となる。
【実施例２】
【００２４】  図４において、部材２ｃの切り込み部５ａと部材２ｄの切り込み部５ｂ、部材２ｃの切り込み部５ｂと部材２ｄの切り込み部５ａを夫々相互に結び合わせ、部材２ｃの切り込み部５ｃと部材２ｄの切り込み部５ｃを相互に結び合わせることにより袋状の包装材となり、該袋状の包装材に持ち手部となる孔１５を設けることにより、持ち運びが容易となる包装材にもなる。【００２５】  このように、部材２ｃと２ｂの切り込み部５ａ、５ｂ、５ｃの結び合わせを変えることにより、物体の形状に合わせた包装材を構成することができる。【００２６】  上述の不職布には、材質や色、印刷した柄を付加することにより、様々な外観、風合の、包装材ができる。
【図面の簡単な説明】
【００２７】
【図１】不職布からなる材料を所定の形に切断して加工した本考案の部材を示す。
【図２】図１にしめす本考案の不職布からなる部材を折り曲げたものを示す。
【図３】不職布からなる材料を所定の形に切断し折り曲げた部材に紐通し部を構成して連結するものを示す。
【図４】不職布からなる材料を所定の形に切断し折り曲げて孔を設け、持ち手を構成した部材を示す。
【符号の説明】
【００２８】１    不職布を所定の形に切断加工した部材
２    不職布を所定の形に切断加工し折り曲げた部材
２ａ  図３の不職布を所定の形に切断加工し折り曲げた部材を組み合わす部材の１つ
２ｂ  図３の不職布を所定の形に切断加工し折り曲げた部材を組み合わす部材の他方
２ｃ  図４の不職布を所定の形に切断加工し折り曲げた部材を組み合わす部材の１つ
２ｄ  図４の不職布を所定の形に切断加工し折り曲げた部材を組み合わす部材の他方
３ａ  山折をする折り曲げ位置
３ｂ  折り曲げた位置
４ａ  右切り込み
４ｂ  左切り込み
４ｃ  上側および下側の切り込み
５ａ  右切り込み部
５ｂ  左切り込み部
５ｃ  上側および下側の切り込み部
６ａ  紐通し部
６ｂ  紐通し部
７    紐通し部を構成する２ａの固着部
８    紐通し部を構成する２ｂの固着部
９    ２ａの部材の左側紐通し口
１０  ２ａの部材の右側紐通し口
１１  ２ｂの部材の左側紐通し口
１２  ２ｂの部材の右側紐通し口
１３  リボン
１４  リボン
１５  手提げ用孔
【手続補正３】
【補正対象書類名】図面
【補正対象項目名】図４
【補正方法】変更
【補正の内容】
【図４】
0003151084.tif 000007